(57)【要約】 【課題】砂質地盤であっても十分な引抜き抵抗を確保する。【解決手段】本発明に係るサクションアンカー１は、筒状周壁部３とその一端を塞ぐ天板部２とで構成してあり、筒状周壁部３は円筒形に、天板部２は円形にそれぞれ形成してある。天板部２には排水孔５を形成してあり、該排水孔にサクションホース７の先端を接続するとともにその基端側に接続されたサクションポンプ（図示せず）を作動させることで、筒状周壁部３と天板部２で囲まれた内側空間６に拡がる水を排水できるようになっている。筒状周壁部３の他端、すなわち天板部２と反対側の端部には、凸部としての鍔状突起４を外方に延設してある。【選択図】  図１
2015034430.tif 000002
【特許請求の範囲】
【請求項１】
筒状周壁部とその一端を塞ぐ天板部とで構成するとともに該天板部に排水孔を形成したサクション構造体において、
前記筒状周壁部が水底地盤に貫入された状態において引抜き力が作用したとき、該引抜き力に対する抵抗力が前記水底地盤から作用するように、前記筒状周壁部の周面に、鍔状、リブ状、螺旋状その他の凸部を設けたことを特徴とするサクション構造体。
【請求項２】
前記凸部を前記筒状周壁部の他端近傍に設けた請求項１記載のサクション構造体。
【請求項３】
前記凸部を前記筒状周壁部の周面のうち、少なくとも外周面に設けた請求項１又は請求項２記載のサクション構造体。
【請求項４】
係留手段を連結可能な連結部を前記天板部の上面に設けた請求項１乃至請求項３のいずれか一記載のサクション構造体。
【請求項５】
前記天板部の上面を、護岸、防波堤、橋梁の主塔その他の港湾構造物又は海洋構造物が載置可能となるように構成した請求項１乃至請求項３のいずれか一記載のサクション構造体。
【発明の詳細な説明】
【技術分野】
【０００１】
本発明は、主としてサクションアンカーやスカートサクション基礎として海底地盤等に沈設されるサクション構造体に関する。
【背景技術】
【０００２】
浮体式の海洋構造物を海上の所定位置に保持するためには、ワイヤーやチェーンで構成された係留索あるいは係留鎖を介して海底のアンカーに係留し、あるいはテンドンと呼ばれる緊張索を介してアンカーに係留する必要があるが、このようなアンカーとしてサクションアンカーが知られている。
【０００３】
サクションアンカーは、筒状周壁部とその一端を塞ぐ天板部とで構成されたサクション構造体をアンカーとして利用するものであって、沈設の際には、筒状周壁部の開口側が下方となるようにサクション構造体を海底に設置した後、筒状周壁部内の水を排水してその内外で水圧差を生じさせ、その水圧差を押込み力として筒状周壁部を海底地盤に貫入することができるようになっているものであり、サクション構造体を設置するための起重機船やサクション力を与える排水ポンプさえあれば、それ以外は特殊な施工機械を使用せずに施工可能であるとともに、水平力に対しては、筒状周壁部の外周面に作用する海底地盤からの受動土圧が抵抗力となるため、工期短縮が可能でかつ強度特性に優れたアンカー方式として、北海油田の石油掘削プラットホーム等で採用されている。
【先行技術文献】
【特許文献】
【０００４】
【特許文献１】特開平１０−２５７３８号公報
【発明の概要】
【発明が解決しようとする課題】
【０００５】
ここで、温室効果ガスの排出抑制が可能で安全性にも優れたあらたなエネルギー源確保が急務となっている昨今、我が国においては洋上風力発電が有望視されているが、その沈設方法については、周辺海域の水深が比較的大きいことから、サクションアンカーを用いた浮体式の導入が検討されている。
【０００６】
しかしながら、従来のサクションアンカーは、主として粘性地盤への沈設が想定されているところ、日本周辺の海底地盤は、砂質地盤で構成されている場合が多く、粘性地盤よりも引抜き抵抗が十分でない懸念があるという問題を生じていた。
【０００７】
一方、上述したサクション構造体を防波堤などの港湾構造物の基礎として利用されており、上述したと同様の手順でサクション構造体を海底に設置した後、該サクション構造体の上にケーソンを据え付けるようにすれば、予め海底に捨石マウンドを敷設してからケーソンを載置する従来の構築方法に比べ、サクションアンカーと同様、短工期での施工や強度の向上が期待できるが、このようなスカートサクション基礎においても、波、風、地震等による水平力で引き起こされる転倒に抵抗するためには、サクション構造体に十分な引抜き抵抗が必要になるため、サクションアンカーと同様の懸念が生じる。
【課題を解決するための手段】
【０００８】
本発明は、上述した事情を考慮してなされたもので、砂質地盤であっても十分な引抜き抵抗を確保することが可能なサクション構造体を提供することを目的とする。
【０００９】
上記目的を達成するため、本発明に係るサクション構造体は請求項１に記載したように、筒状周壁部とその一端を塞ぐ天板部とで構成するとともに該天板部に排水孔を形成したサクション構造体において、
前記筒状周壁部が水底地盤に貫入された状態において引抜き力が作用したとき、該引抜き力に対する抵抗力が前記水底地盤から作用するように、前記筒状周壁部の周面に、鍔状、リブ状、螺旋状その他の凸部を設けたものである。
【００１０】
また、本発明に係るサクション構造体は、前記凸部を前記筒状周壁部の他端近傍に設けたものである。
【００１１】
また、本発明に係るサクション構造体は、前記凸部を前記筒状周壁部の周面のうち、少なくとも外周面に設けたものである。
【００１２】
また、本発明に係るサクション構造体は、係留手段を連結可能な連結部を前記天板部の上面に設けたものである。
【００１３】
また、本発明に係るサクション構造体は、前記天板部の上面を、護岸、防波堤、橋梁の主塔その他の港湾構造物又は海洋構造物が載置可能となるように構成したものである。
【００１４】
本発明に係るサクション構造体においては、筒状周壁部が水底地盤に貫入された状態において引抜き力が作用したとき、該引抜き力に対する抵抗力が水底地盤から作用するように、筒状周壁部の周面に、鍔状、リブ状、螺旋状その他の凸部を設けてあり、水底地盤に沈設する際には、従来と同様、筒状周壁部の開口側が下方となるように水底に設置した後、天板部に形成された排水孔を介して内部の水を排水する。
【００１５】
このようにすると、サクション構造体の自重（浮力分は除く）及びその内外で生じる水圧差が、筒状周壁部を水底地盤に貫入する際の押込み力となるが、その水圧差は同時に、筒状周壁部の周囲に拡がる水底から該筒状周壁部の下端を回り込んでその内側の水底へと向かう浸透流を水底地盤内に生じさせ、それによって地盤の有効応力が低下して筒状周壁部下端での貫入抵抗が小さくなるので、筒状周壁部の周面に設けた凸部が水底地盤への貫入の妨げとなるおそれはない。
【００１６】
一方、筒状周壁部の水底地盤への根入れ完了に伴って排水操作を停止した後は、上述した浸透流も消滅し、水底地盤は元の状態に戻る。
【００１７】
そのため、かかる状態でサクション構造体に引抜き力が作用すると、凸部を筒状周壁部の内周面に設けた構成においては、筒状周壁部の内部に水底地盤の土砂が中詰めされた状態で引き抜かれるため、土砂が中詰めされずに水底地盤に残置される場合と比べれば、筒状周壁部に中詰めされた土砂の重量があらたな抵抗力として加わるため（内周面での周面摩擦力は除外）、引抜きに対するサクション構造体の耐力をある程度向上させることが可能となる。
【００１８】
また、凸部を筒状周壁部の外周面に設けた構成においては、凸部によって筒状周壁部の外周面に周辺土砂が一体化されるため、筒状周壁部の外周面が水底地盤から離脱して引き抜かれる従来構成の場合と比べれば、筒状周壁部の外周面に一体化された地盤領域の重量があらたな抵抗力として加わるが、該地盤領域とその周囲の水底地盤との境界面（せん断面）における摩擦力が十分な大きさを有しており、この摩擦力があらたな抵抗力として加わるため、筒状周壁部の外周面が水底地盤から離脱しようとする際に生じる従来構成の周面摩擦力を差し引いても、引抜きに対するサクション構造体の耐力は大幅に向上する。
【００１９】
具体的に説明すると、凸部を設ける筒状周壁部の周面としては、
(a)  内周面のみ
(b)  外周面のみ
(c)  内周面及び外周面
の３つの形態が想定されるが、凸部が存在しない従来構成において、引抜き時に筒状周壁部だけが水底地盤から抜け出す形で引抜き破壊する場合には（以下、引抜き破壊モードI）、内周面及び外周面に作用する周面摩擦力及びサクション構造体の自重が引抜きに対する抵抗力となるだけである。
【００２０】
この場合、(a)の構成を選択すれば、引抜き破壊モードは、筒状周壁部の内部に水底地盤の土砂が中詰めされた状態で筒状周壁部が水底地盤から引き抜かれるモード（以下、引抜き破壊モードII）に移行し、上述したように筒状周壁部に中詰めされた土砂の重量があらたな抵抗力として加わるため（内周面での周面摩擦力は除外）、引抜きに対するサクション構造体の耐力をある程度向上させることができるとともに、筒状周壁部の外周面に凸部が形成されないことから、サクション構造体の全体寸法を抑えることが可能となり、搬送その他の取り扱いを容易にすることができる。
【００２１】
一方、(c)の構成を選択すれば、引抜き破壊モードは、筒状周壁部の内部に水底地盤の土砂が中詰めされかつ筒状周壁部の外周面に水底地盤の土砂が一体化した状態で該筒状周壁部が水底地盤から引き抜かれる引抜き破壊モード（以下、引抜き破壊モードIII）へと移行し、(a)の構成による作用に加えて、上述したように筒状周壁部の外周面に一体化された地盤領域の重量があらたな抵抗力として加わるのみならず、該地盤領域とその周囲の水底地盤との境界面（せん断面）における摩擦力が十分な大きさを有しており、この摩擦力があらたな抵抗力として加わるため、引抜きに対するサクション構造体の耐力を大幅に向上させることが可能となる。
【００２２】
また、凸部が存在しない従来構成において引抜き破壊モードが引抜き破壊モードIIである場合、(b)の構成を選択すれば、引抜き破壊モードは引抜き破壊モードIIIへと移行し、上述したように筒状周壁部の外周面に一体化された地盤領域の重量があらたな抵抗力として加わるのみならず、該地盤領域とその周囲の水底地盤との境界面（せん断面）における摩擦力が十分な大きさを有しており、この摩擦力があらたな抵抗力として加わるため、引抜きに対するサクション構造体の耐力を十分に向上させることが可能となる。
【００２３】
凸部は、サクション構造体に引抜き力が作用したときに該引抜き力に対する抵抗力が水底地盤から作用する限り、具体的にどのように構成するかは任意であって、例えば、鍔状、リブ状、螺旋状に構成することが可能であるし、必ずしも全周にわたって連続的に構成する必要はなく、離散的に配置するようにしてもかまわない。
【００２４】
また、凸部は、筒状周壁部のうち、端部近傍を除く中間部位に設けるようにしてもかまわないが、筒状周壁部の他端近傍、すなわち天板部の反対側に位置する端部近傍に設けた構成とするならば、サクションによる貫入作業を行っている間、浸透流による有効応力低下が最も大きい箇所に凸部が常に位置することになるため、貫入抵抗を確実に小さくすることができるとともに、貫入が完了した状態においては、水底から最も深い位置に凸部が埋設されることになるため、筒状周壁部に一体化される周辺土砂の重量が最大となり、引抜きに対する耐力を十分に高めることが可能となる。
【００２５】
本発明に係るサクション構造体は、海底地盤をはじめ、湖沼の水底地盤に沈設することが可能である。
【００２６】
また、本発明に係るサクション構造体は、水平力及び引抜き力に対し、十分な抵抗力を保有した状態で水底地盤に沈設する必要がある全ての構造物に適用可能であるが、典型的にはサクションアンカー又はスカートサクション基礎への適用が想定されるものであり、前者の場合には、係留手段を連結可能な連結部を天板部の上面に設ける構成とし、後者の場合には、天板部の上面を、護岸、防波堤、橋梁の主塔といった港湾構造物又は海洋構造物が例えばケーソンの形で載置可能となるように構成すればよい。
【図面の簡単な説明】
【００２７】
【図１】本実施形態に係るサクションアンカー１の図であり、(a)は鉛直断面図、(b)はＡ−Ａ線方向から見た矢視図。
【図２】本実施形態に係るサクションアンカー１を沈設する様子を示した施工図。
【図３】本実施形態に係るサクションアンカー１の作用を、従来のサクションアンカーとの比較で示した説明図。
【図４】鍔状突起４が海底地盤１４に及ぼす支圧の範囲について別の例を示した鉛直断面図。
【図５】変形例に係るサクションアンカー１ｂとその作用を、従来のサクションアンカーとの比較で示した説明図。
【図６】変形例に係るサクションアンカー１ｃとその作用を、従来のサクションアンカーとの比較で示した説明図。
【図７】鍔状突起４の変形例を示した図。
【図８】スカートサクション基礎７３の図であり、(a)は鉛直断面図、(b)はＢ−Ｂ線に沿う鉛直断面図。
【発明を実施するための形態】
【００２８】
以下、本発明に係るサクション構造体の実施の形態について、添付図面を参照して説明する。
【００２９】
図１は、本発明に係るサクション構造体をサクションアンカーに適用した例を示したものである。同図でわかるように、本実施形態に係るサクションアンカー１は、筒状周壁部３とその一端を塞ぐ天板部２とで構成してあり、筒状周壁部３は円筒形に、天板部２は円形にそれぞれ形成してある。
【００３０】
サクションアンカー１は、鉄筋コンクリート、プレストレストコンクリート、鋼材その他の材料で適宜構成することが可能であり、水平力及び引抜き力に対して要求される強度や耐力に応じて、例えば直径を数ｍ〜１０ｍ程度、高さをその３〜４倍程度に設定すればよい。
【００３１】
天板部２には排水孔５を形成してあり、該排水孔にサクションホース７の先端を接続するとともにその基端側に接続されたサクションポンプ（図示せず）を作動させることで、筒状周壁部３と天板部２で囲まれた内側空間６に拡がる水を排水できるようになっている。
【００３２】
筒状周壁部３の他端、すなわち天板部２と反対側の端部には、凸部としての鍔状突起４を外方に延設してある。
【００３３】
図２は、本実施形態に係るサクションアンカー１を海底地盤１４に沈設する様子を示した施工図である。サクションアンカー１を海底地盤１４に沈設するには、同図(a)に示すようにまず、筒状周壁部３の開口側が下方となるようにサクションアンカー１を海底１１に設置する。
【００３４】
設置作業は、起重機船１２に搭載したクレーン（図示せず）を適宜用いればよい。
【００３５】
次に、天板部２の排水孔５とサクションポンプ１３とをサクションホース７を介して連通接続し該サクションポンプを作動させることにより、サクションアンカー１の内側空間６に拡がる水を排水する。
【００３６】
このようにすると、サクションアンカー１の内側空間６及びそれに連通するサクションホース７内の水は、周辺海域よりもδｈだけ水位が低下し、その水位低下に相当する水圧差δＰは、サクションアンカー１の自重（浮力分は除く）とともに、サクションアンカー１の筒状周壁部３を海底地盤１４に貫入する押込み力となる。
【００３７】
ここで、水圧差δＰは同時に、筒状周壁部３の周囲に拡がる海底１１から該筒状周壁部の下端を回り込んでその内側の海底へと向かう浸透流を海底地盤１４内に生じさせ、それによって海底地盤１４の有効応力が低下して筒状周壁部３下端での貫入抵抗が小さくなる。
【００３８】
そのため、筒状周壁部３は、その下端外周面から外方に延設された鍔状突起４に妨げられることなく、同図(b)に示すように海底地盤１４に貫入される。
【００３９】
筒状周壁部３の海底地盤１４への貫入が完了した後は、サクションポンプ１３による排水操作を終了するが、それに伴って上述した浸透流も消滅するため、海底地盤１４は元の状態に戻る。
【００４０】
なお、サクションポンプ１３による排水完了後は、サクションアンカー１が筒状周壁部３の開口側以外から外部と連通しないように排水孔５を閉じる。
【００４１】
図３は、サクションアンカー１を沈設した後、該サクションアンカーに引抜き力が作用した場合のサクションアンカー１の作用を示した説明図である。同図(a)に示したように、サクションアンカー１の天板部２の上面には連結部３２を設けてあるとともに、該連結部には、洋上風力発電等の浮体構造物（図示せず）から延びる係留手段としての係留索３１が連結してあり、サクションアンカー１は、浮体構造物の係留アンカーとして機能する。
【００４２】
ここで、浮体構造物が波力や風力を受けると、サクションアンカー１には、係留索３１を介して引張力が作用するが、該引張力のうち、水平方向成分については、筒状周壁部３の外周面に作用する海底地盤１４からの受動土圧が抵抗力となって、サクションアンカー１を安定に保持する。
【００４３】
一方、鉛直上向きの成分、すなわち引抜き力に対しては、筒状周壁部３の下端に設けられた鍔状突起４の上方に拡がる領域であって筒状周壁部３の外径を内径とし、鍔状突起４の直径を外径とする円筒状の地盤領域３３が、筒状周壁部３に一体化される。
【００４４】
すなわち、鍔状突起４が存在しない従来構成の場合、引抜きによる破壊時のモードが引抜き破壊モードIIであるときには、同図(b)に示すように、中詰め土砂の重量、サクションアンカーの自重（いずれも浮力分は除く）及び外周面に作用する周面摩擦力が引抜きに対する抵抗力となるが、本実施形態の場合においては、同図(c)に示すように、円筒状の地盤領域３３が筒状周壁部３に一体化され、引抜き破壊モードは引抜き破壊モードIIIへと移行する。
【００４５】
そして、本実施形態においては、筒状周壁部３の外周面に一体化された地盤領域３３の重量があらたな抵抗力として加わるのみならず、該地盤領域とその周囲の海底地盤１４との境界面（せん断面）における摩擦力が十分な大きさを有しており、この摩擦力があらたな抵抗力として加わる。
【００４６】
なお、図３(b)，(c)においては、引抜き破壊の違いがよくわかるように引抜き破壊後の様子を描いてあるが、引抜き力とそれに応答した抵抗力との関係は、引抜き破壊前の状態で説明するものとする（以下、同様）。
【００４７】
以上説明したように、本実施形態に係るサクションアンカー１によれば、鍔状突起４によって筒状周壁部３に一体化される地盤領域３３の重量分のみならず、地盤領域３３とその周囲の海底地盤１４との境界面（せん断面）における摩擦力から外周面における周面摩擦力を差し引いた分が引抜き時の抵抗力に上乗せされるため、引抜きに対するサクションアンカー１の耐力を十分に向上させることが可能となる。
【００４８】
そのため、サクションアンカー１の高さや本数を抑えることが可能となり、製造から運搬さらには沈設に至るコストを大幅に軽減することができる。
【００４９】
また、本実施形態に係るサクションアンカー１によれば、鍔状突起４を筒状周壁部３の他端近傍、すなわち天板部２の反対側に位置する端部近傍に設けた構成としたので、サクションによる貫入作業を行っている間、浸透流による有効応力低下が最も大きい箇所に鍔状突起４が常に位置することになるため、貫入抵抗を確実に小さくすることができるとともに、貫入が完了した状態においては、海底１１から最も深い位置に鍔状突起４が埋設されることになるため、筒状周壁部３に一体化される周辺土砂である地盤領域３３の重量や地盤領域３３とその周囲の海底地盤１４との境界面における摩擦力が最大となり、かくして引抜きに対する耐力を十分に高めることが可能となる。
【００５０】
本実施形態では、引抜き破壊時において、海底地盤１４内に形成されるせん断面が鍔状突起４の先端縁部から鉛直上方に形成されるものとしたが、これは、引抜き時における鍔状突起４の海底地盤１４への支圧範囲が概ね鍔状突起４の上方のみに限定されると考えた場合であり、図４に示すように、鍔状突起４の先端縁部から斜め上方に延びる面まで支圧が及ぶと考えることができる場合には、引抜き破壊時に筒状周壁部３に一体化される地盤領域は、円筒状の地盤領域３３ではなく、逆円錐台状の地盤領域３３′となり、この場合には引抜きに対する抵抗力が大幅に増加する。
【００５１】
また、本実施形態では、従来構成における引抜き破壊モードが引抜き破壊モードIIであることを想定したが、従来構成における引抜き破壊モードが引抜き破壊モードI、すなわち引抜き破壊時に筒状周壁部だけが海底地盤から引き抜かれるモードである場合には、サクションアンカー１に代えて、図５(a)に示すように筒状周壁部３とその一端を塞ぐ天板部２とで構成して該筒状周壁部の他端に鍔状突起４を外方に延設するとともに、同じく凸部としての環状突起４ｂを内方に延設してなるサクションアンカー１ｂを用いることができる。
【００５２】
鍔状突起４及び環状突起４ｂが存在しない従来構成の場合、引抜きによる破壊時のモードが引抜き破壊モードIであるときには、図５(b)に示すように、サクションアンカーの自重（浮力分は除く）及び内外周面に作用する周面摩擦力が引抜きに対する抵抗力となるだけであるが、本変形例の場合においては、同図(c)に示すように、環状突起４ｂにより、筒状周壁部３の内側空間６に海底地盤１４の土砂が中詰め土砂として保持されるとともに、鍔状突起４により、円筒状の地盤領域３３が筒状周壁部３に一体化されるため、引抜き破壊モードは、引抜き破壊モードIIIへと移行する。
【００５３】
したがって、環状突起４ｂによって筒状周壁部３に中詰めされた土砂の重量があらたな抵抗力として加わるとともに、上述の実施形態と同様、鍔状突起４によって筒状周壁部３に一体化される地盤領域３３の重量分のみならず、地盤領域３３とその周囲の海底地盤１４との境界面（せん断面）における摩擦力から外周面における周面摩擦力を差し引いた分が引抜き時の抵抗力に上乗せされるため、引抜きに対するサクションアンカー１の耐力を大幅に向上させることが可能となる。
【００５４】
なお、図５に示した変形例の鍔状突起４を省略し、図６に示したサクションアンカー１ｃを採用することも可能である。
【００５５】
かかる構成においては、引抜き破壊モードは、引抜き破壊モードIから引抜き破壊モードIIへ移行するにとどまるものの、上述したように筒状周壁部３に中詰めされた土砂の重量があらたな抵抗力として加わるため（内周面での周面摩擦力は除外）、引抜きに対するサクション構造体の耐力をある程度向上させることができるとともに、筒状周壁部３の外周面に凸部が形成されないことから、サクションアンカー１ｃの全体寸法を抑えることが可能となり、搬送その他の取り扱いを容易にすることができる。
【００５６】
また、本実施形態では、鍔状突起４を、筒状周壁部３に直交する方向に延設したが、これに代えて、図７(a)に示すように、筒状周壁部３と反対の側に斜めに延設してなる鍔状突起４ｃとしてもかまわないし、図示しないが、筒状周壁部３と同一の側に斜めに延設してなる鍔状突起を採用することも可能である。
【００５７】
また、本実施形態では、鍔状突起４を、筒状周壁部３の全周にわたって設けるようにしたが、これに代えて、図７(b)に示すように、弓状の突片４ｄを互いに離間するように筒状周壁部３の下端外周面に沿って外方に複数延設するようにしてもかまわない。
【００５８】
なお、凸部を斜めに延設して構成する上述の変形例と凸部を複数の突片で構成する上述の変形例は、環状突起４ｂについても同様に適用することが可能であるとともに、それらの変形例を任意に組み合わせることも可能である。
【００５９】
また、本実施形態及びその変形例では、本発明に係るサクション構造体をサクションアンカーとして利用する場合について説明したが、上述したサクションアンカー１，１ｂ，１ｃ及びそれらの変形例はいずれも、スカートサクション基礎として利用することが可能である。
【００６０】
図８は、一例としてサクションアンカー１ｃと同一構成のスカートサクション基礎７３を上述の実施形態と同様に海底地盤１４に沈設した例であって、スカートサクション基礎７３を列状に複数配置するとともに、該スカートサクション基礎の配置列に沿うようにその天板部２の上にケーソン７１を載置して防波堤としてあり、ケーソン７１は、スカートサクション基礎７３の天板部２であって陸地側に立設されたずれ止め７２にその脚部を当接させてある。
【００６１】
かかる構成においても、スカートサクション基礎７３は、サクションアンカー１ｃと同様、引抜きに対して大きな抵抗力を有するため、波浪によるケーソン７１の転倒を未然に防止することができる。
【符号の説明】
【００６２】
１，１ｂ，１ｃ        サクションアンカー（サクション構造体）
２                    天板部
３                    筒状周壁部
４                    鍔状突起（凸部）
４ｂ                  環状突起（凸部）
４ｃ                  鍔状突起（凸部）
４ｄ                  突片（凸部）
５                    排水孔
１４                    海底地盤（水底地盤）
３１                    係留索（係留手段）
３２                    連結部
７３                    スカートサクション基礎（サクション構造体）
【図１】
2015034430.tif 000003
【図２】
2015034430.tif 000004
【図３】
2015034430.tif 000005
【図４】
2015034430.tif 000006
【図５】
2015034430.tif 000007
【図６】
2015034430.tif 000008
【図７】
2015034430.tif 000009
【図８】
2015034430.tif 000010